(57)【要約】      （修正有）【課題】物品を保管するための自動化された産業ターミナルを提供する。【解決手段】ターミナルの操作を制御するための制御ユニット；フレーム３；フレーム３に一体化されている、物品の包装物を格納するための物品整理棚４；閉じた状態に物品整理棚４を選択的に閉鎖するための第１の閉鎖手段６；ターミナルに対する保守作業を実施するためにフレーム３内部への通路をもたらすための、フレーム３に画定されている少なくとも１つの区画８；区画８を選択的に、閉じた状態に閉鎖するための第２の閉鎖手段；および区画８のそれぞれの開放状態または閉じた状態を示すための、制御ユニットに接続されている少なくとも１つのそれぞれの開口センサ１２を備えている。本考案は、従来の鍵の使用を回避すること、およびすべての保守人員があらゆる機能を利用できることを防ぐことによって、保守作業における保安措置および容易さを向上させる。【選択図】図２
0003205719.tif 000002
【実用新案登録請求の範囲】
【請求項１】
物品を保管するための自動化された産業ターミナルであって、
上記ターミナルの操作を制御するための制御ユニット（１）；
フレーム（３）；
上記フレーム（３）に一体化されている、物品の包装物を格納するための物品整理棚（４）；
上記物品整理棚（４）を選択的に、閉じた状態に閉鎖するための第１の閉鎖手段（６）；
ターミナルに対する保守作業を実施するためにフレーム（３）の内部への通路をもたらすための、上記フレーム（３）に画定されている少なくとも１つの区画（８、９）；
上記区画（８、９）を選択的に、閉じた状態に閉鎖するための第２の閉鎖手段（１１）を備えており；
上記物品を保管するための自動化された産業ターミナルは、上記区画（８、９）のそれぞれの開放状態または閉じた状態を示すための、上記制御ユニット（１）に接続されてい少なくとも１つのそれぞれの開口センサをさらに備えていることを特徴とする、物品を保管するための自動化された産業ターミナル。
【請求項２】
上記物品整理棚（４）に上記制御ユニット（１）を連絡するための、上記フレーム（３）に格納されている連絡要素（７）をさらに備えており；
上記ターミナルが、
上記第１の閉鎖手段（６）への保守通路をもたらすための、少なくとも１つの上記物品整理棚（４）と隣接している、少なくとも第１の区画（８）；および
上記連絡要素への保守通路をもたらすための、少なくとも第２の区画（９）をそれ自体が含んでいる複数の区画（８、９）をさらに備えていることを特徴とする、請求項１に記載の物品を保管するための自動化された産業ターミナル。
【請求項３】
１つの第２の区画（９）のみを備えていることを特徴とする、請求項２に記載の物品を保管するための自動化された産業ターミナル。
【請求項４】
上記第１の区画または複数の第１の区画（８）は、上記第２の区画または複数の第２の区画（９）に接続されておらず、第１の区画（８）から任意の第２の区画にか、およびその逆に対する通行可能な通路がないことを特徴とする、請求項２または３に記載の物品を保管するための自動化された産業ターミナル。
【請求項５】
上記第２の区画または複数の第２の区画（９）は、上記第１の区画または複数の第１の区画（８）に接続されていないことを特徴とする、請求項３または４に記載の物品を保管するための自動化された産業ターミナル。
【請求項６】
上記物品整理棚（４）は、モジュラー式において配列されており、上記ターミナルは、モジュール（１３）のぞれぞれに第１の区画（８）が存在する少なくとも１つの物品整理棚（４）モジュール（１３）を備えていることを特徴とする、請求項１〜５のいずれか１項に記載の物品を保管するための自動化された産業ターミナル。
【請求項７】
モジュール（１３）のそれぞれは、複数の物品整理棚（４）の２つの列（１４）を備えており、第１の区画（８）のそれぞれは、上記第１の閉鎖手段（６）への通路をもたらすために、当該２つの列（１４）の間に配置されていることを特徴とする、請求項６に記載の物品を保管するための自動化された産業ターミナル。
【請求項８】
上記第１の閉鎖手段（６）および上記第２の閉鎖手段（１１）は、電子式であり、上記制御ユニット（１）に接続されていることを特徴とする、請求項１または２に記載の物品を保管するための自動化された産業ターミナル。
【請求項９】
上記制御ユニット（１）は上記フレーム（３）に一体化されていることを特徴とする、請求項１〜８のいずれか１項に記載の物品を保管するための自動化された産業ターミナル。
【請求項１０】
上記制御ユニット（１）は、一般的な制御装置に遠隔接続されており、e-commerceを介して生成された注文の遠隔情報を送るため、および受け取るために、一般的な制御装置に遠隔接続されていることを特徴とする、請求項１〜８のいずれか１項に記載の物品を保管するための自動化された産業ターミナル。
【請求項１１】
上記制御ユニット（１）は、区画（８、９）のそれぞれが開いていることの、画面（２）上への表示を生成するための警報手段を組み込んでいることを特徴とする、請求項１に記載の物品を保管するための自動化された産業ターミナル。
【請求項１２】
上記制御ユニット（１）は
上記区画（８、９）が異常な様式において開いているか否かを特定する特定手段；および
上記区画（８、９）が異常な様式において開いているときに警報信号を生成するための警報手段をさらに備えていることを特徴とする、請求項１〜１１のいずれか１項に記載の物品を保管するための自動化された産業ターミナル。
【考案の詳細な説明】
【技術分野】
【０００１】
本考案は、物流の技術分野の範囲、より詳細には物品の保管および流通分配の分野に包含され得る。より詳細には、本考案の目的は、購入者によって回収されるまで物品（特にe-commerceに基づく）を保管するための自動化されたターミナルであり、本考案の上記ターミナルは、その保守についてのさらなる容易さをもたらす。
【背景技術】
【０００２】
インターネットを通じて購入された包装物を格納するための異なる大きさの１〜２０００の整理棚を有している、インターネットを介した遠隔管理による産業ターミナルが市場にある。上記ターミナルは、それらの機能に応じて、２種：
１）包装物を格納するために予定されている物品の区画、および
２）保守作業を担当する専門の操作員に制限された、利用を許可するための保守区画
に分類され得る複数の区画を有している。
【０００３】
一般に知られているシステムは、制御要素、制御通信、制御電子機器の利用を可能にする物理的な鍵、および物品区画のロックの手動による開放を用いて開かれる単一の保守区画を備えている。派生する型において、上記鍵は、上記鍵の管理可能性を向上させるために種々の異なるターミナルの複数の区画を開くマスターキーである。
【考案の概要】
【０００４】
本考案は、ターミナルの操作を制御するための制御ユニットを備えており、複数の物品整理棚が物品の包装物を格納するための、一体化されているフレームをさらに備えている、自動化された産業ターミナルについて説明する。上記ターミナルはまた、物品整理棚を選択的に、閉じた状態に閉鎖するために、好ましくは電子式の、第１の閉鎖手段を組み込んでいる。
【０００５】
上記ターミナルは、当該ターミナルに対する保守作業を実施するためにフレームの内部への通路をもたらす、上記フレームに画定されている第２の閉鎖手段、ならびに上記区画または複数の区画を選択的に、閉じた状態に閉鎖するための第２の閉鎖手段を組み込んでいる。
【０００６】
本考案は、上記ターミナルが、区画のそれぞれの開放状態または閉じた状態を示すための、上記制御ユニットに接続されている開口センサのそれぞれを、さらに組み込んでいることを特徴とする。
【０００７】
上記ターミナルの保守は、保守を予定されている区画のそれぞれにおける開口センサの組込みによって監視され得る。当該開口センサは、誰かが上記フレームの内部を不正に利用している場合を実時間において知ることを可能にし、それによって、危険性（例えば、物品整理棚の開放とそれに続く包装物の窃盗、またはターミナルの区画に対する不正な利用など）を回避する。
【０００８】
なされている説明を補足し、本考案の特徴のよりよい理解に対する補助を目的として、その好ましい実施形態によれば、上記説明は、例示的および非限定的な様式において描写されている１組の図面を、当該説明の不可欠な一部として、ともなっている。
【図面の簡単な説明】
【０００９】
【図１】本考案のターミナルの正面図を示す。
【図２】第１の区画の１つの詳細な正面図を示す。
【図３】単一の第２の区画がある実施形態における第２の区画の詳細な正面図を示す。
【考案を実施するための形態】
【００１０】
以下は、本考案の目的の好ましい実施形態の、上述した添付の図面を用いた詳細な説明である。
【００１１】
添付の図面は、物品（好ましくはe-commerceを介してなされた注文を通して入手された）を保管するための自動化された産業ターミナルを示しており、当該産業ターミナルは、以下に説明されている通り、保守作業の間における保安措置を向上させる特徴を有している。
【００１２】
図１によれば、本考案のターミナルは、以下に説明されるような、当該ターミナルの操作を制御するように構成された制御ユニット（１）を備えている。好ましくは、制御ユニット（１）は、好ましくは触覚式であり得る画面（２）に接続されているプロセッサ（図示されず）を備えている。
【００１３】
上記ターミナルはまた、フレーム（３）を備えている。制御ユニット（１）は、図１に認められるフレーム（３）に好ましく一体化されている。
【００１４】
同様に、複数の物品整理棚（４）は、それらの購入者によって回収されることを物品の包装物（好ましくはe-commerceによって得られた）（図示されず）を格納する予定になっているフレーム（３）に一体化されている。
【００１５】
ターミナルは、物品整理棚（４）を選択的に開放状態または閉じた状態にするための第１の遮蔽物（５）（例えば扉または蓋）を組み込んでいる。同様に、図２を参照すれば、第１の遮蔽物（５）およびしたがって物品整理棚（４）を閉じた状態に選択的に閉鎖するための、好ましくは電子式の、第１の閉鎖手段（例えば電子錠）が備えられている。制御ユニット（１）は、特に電子式の第１の閉鎖手段（６）の場合に、物品整理棚（４）に好ましく接続されている。同様に、フレーム（３）は、制御ユニット（１）を物品整理棚（４）に連絡するための通信要素（６）を好ましく格納している。
【００１６】
図１、およびより詳細には図２に示すように、少なくとも第１の区画（８）は、上記閉鎖手段（６）の保守のための第１の閉鎖手段への通路をもたらすために、少なくとも１つの物品整理棚（４）と隣接して、フレーム（３）においてさらに画定されている。同様に、図１、およびより詳細には図３によれば、少なくとも第２の区画（９）は、通信要素（７）の保守のための、通信要素（７）への通路をもたらすために、フレーム（３）に画定されている。好ましくは、単一の第２の区画（９）が上記ターミナルにある。
【００１７】
第１の区画もしくは複数の第１の区画（８）および第２の区画もしくは複数の第２の区画（９）は、区画（８、９）に、開放状態または閉じた状態を選択的にもたらすための、例えば扉式または蓋式の、第２の遮蔽物（１０）、ならびに第２の遮蔽物（１０）、およびしたがって区画（８、９）を閉じた状態に選択的に閉鎖するための第２の閉鎖手段（１１）を備えている。
【００１８】
第２の閉鎖手段（１１）は、好ましくは電子式（例えば、制御ユニット（１）に接続されているロック）である。
【００１９】
制御ユニット（１）は、注文に関する情報を（インターネットを介して；内部ネットワーク（例えばイーサネット（登録商標））；記憶装置（例えばＵＳＢメモリ）介してなど）送るため、および受け取るための一般的な制御装置（図示されず）に遠隔接続される。
【００２０】
上記ターミナルは、（ｉ）区画（８、９）の開放状態または閉じた状態を示すため、ならびに（ｉｉ）対応する区画（８、９）が開いていることを示す対応する情報信号（例えば画面（２）への表示）が開放状態の場合に、制御ユニット（１）（すなわち局所レベル）または上記制御部（すなわち遠隔レベル）において生成するために、警報手段（図示されず）に接続されており、制御ユニット（１）に収納されている開口センサ（１２）を、区画（８、９）または第２の区画（１０）に組み込んでいる。制御ユニット（１）および使用可能である場合に上記制御装置は、それが異常な開放であるか否かを特定するように、かつ対応する警報信号を生成するように好ましく構成されている。特に、制御ユニット（１）は、
−区画（８、９）が異常な様式において開いているか否かを特定する特定手段（図示されず）；および
−区画（８、９）が異常な様式において開いているときに警報信号を生成する警報手段（図示されず）
をさらに備え得る。
【００２１】
開口センサ（１２）は、知られている任意の型（例えば、機械的センサ、磁気センサ、誘導性センサ）であり得る。
【００２２】
第１の区画または複数の第１の区画（８）は、保守作業者が第１の区画（８）から任意の第２の区画（９）、およびその逆に通行可能な通路を有していないという意味において、第２の区画または複数の第２の区画（９）に接続されていないことが好ましく、かつ有利である。特に、一例として、好ましい実施形態によれば、第２の区画または複数の第２の区画（９）は、通信要素（７）が格納されている保守整理棚として、閉じた第２の区画（９）を構成し得る。
【００２３】
図面に示されている好ましい実施形態によれば、物品整理棚（４）は、モジュラー式において配列されて、モジュール（１３）のそれぞれについて第１の区画（８）があるモジュール（１３）を形成している。特に、モジュール（１３）は、物品整理棚（４）の行および／または列（１４）を組み込み得る。図面に示される例において、モジュール（１３）は、２つの列（１４）を備えており、第１の区画（８）のそれぞれは、それぞれのモジュール（１３）の２つの列（１４）の間に位置付けられている。
【００２４】
説明されている考案は、スペイン実用新案ＥＳ１１３６８８０Ｕに説明されているターミナルと適合性であり、当該ターミナルは、物品整理棚（４）のそれぞれにおける予め選択可能な温度および／または湿度を、物品の必要に応じて個々に、維持し、かつ生じさせるための、制御ユニット（１）および各物品整理棚（４）に接続されている環境制御手段（図示されず）を組み込んでいる。
【００２５】
同様に、説明されている考案は、スペイン実用新案ＥＳ１１３７４５５Ｕに説明されているターミナルと適合性であり、当該ターミナルは、物品整理棚（４）における物品の存非を検出するために、物品整理棚（４）のそれぞれに検出器（図示されず）を組み込んでいる。ここで、制御ユニット（１）は、上記検出器および上記一般的な制御装置とともに、物品整理棚（４）の第１の閉鎖手段（６）に接続されており；制御ユニット（１）は、（ｉ）制御ユニット（１）において要求されている保存されている状態もしくは開放状態と、（ｉｉ）上記検出器によって制御ユニット（１）に送られた、占有または空の情報との間における一致が、物品整理棚（４）について確認されないときに、第１の閉鎖手段に作用して、物品整理棚（４）の開放状態を維持するように構成されている。
【００２６】
上述の一般的な説明の項に規定されていることに加えて、好ましい実施形態に説明されているような本考案は、以下に述べられているさらなる利点を有している。
−保守を予定されている区画（８、９）における電子式の第２の閉鎖手段の組込みは、保安措置を回避するために容易に複製され得る従来の鍵の使用を避けさせる。この利点は、種々のターミナルの区画（８、９）に使えるマスターキーが広く使用されている点において、より顕著である。
−ターミナルの特定の機能に対してのみ利用を認めている、保守を予定されている１つだけでなく種々の区画（８、９）の組込みは、すべての保守人員があらゆる機能を利用できることを防ぐ。例えば、通信（例えばＡＤＳＬルータ）の保守のために予定されている人員は、物品整理棚（４）の開放の管理に近づけない。
【図１】
0003205719.tif 000003
【図２】
0003205719.tif 000004
【図３】
0003205719.tif 000005